(57)【特許請求の範囲】
【請求項１】
トナー像を加熱定着した記録用紙を駆動ローラに加圧ローラを押接した排紙ローラを通して排紙トレー上に排出するようにした電子写真記録装置において、前記加圧ローラは、両端部に小径部を形成した芯部材と、この芯部材の大径部の外周に嵌着した円筒状のゴム筒を備え、前記ゴム筒の両端部は前記芯部材の小径部の周りに逃げ空間を介して位置するようにしたことを特徴とする電子写真記録装置。
【請求項２】
請求項１において、前記芯部材の小径部は該芯部材の両端部に形成したテーパにより形成したことを特徴とする電子写真記録装置。
【請求項３】
請求項１または２において、前記芯部材は樹脂成形によって形成し、ゴム筒はクロロプレンゴムにより形成したことを特徴とする電子写真記録装置。
【発明の詳細な説明】
【０００１】
【発明の属する技術分野】
本発明は、電子写真記録装置に係り、特に記録済みの用紙を排紙する排紙装置に関する。
【０００２】
【従来の技術】
電子写真記録装置は、表面を一様に帯電した感光体を記録画像で露光して静電潜像を形成し、この静電潜像を現像剤で現像してトナー像とし、このトナー像を記録用紙に転写した後に該記録用紙に定着して機外に排紙する構成である。
【０００３】
一般的には、感光体としては、感光ベルトや感光ドラムを使用している。この感光体は、定速回転するように駆動することにより、帯電器に対向した位置で表面を一様に帯電し、一様に帯電した表面を露光装置に対向させて光像またはレーザビームを照射することにより該表面に静電潜像を形成し、静電潜像が形成された表面を現像器に対向させることにより該静電潜像を現像剤で現像してトナー像にする。
【０００４】
カラー像を記録する電子写真記録装置では、露光による静電潜像は、イエロー，マゼンタ，シアン，ブラックに分けて形成し、現像器はこれらの静電潜像を対応する色のトナーで現像する。各色のトナー像は、中間転写体（中間転写ドラム）に重ねるように転写することによりカラートナー像を完成する。
【０００５】
トナー像を転写する記録用紙は、用紙カセットから引き出してレジストローラに当接して待機させ、完成したトナー像の搬送タイミングに同期させて繰り出して転写器の位置で中間転写体の表面に接触させることにより該中間転写体から記録用紙に転写する。
【０００６】
記録用紙に対するトナー像の定着は、加熱ローラ（ヒートローラ）と加圧ローラ（バックアップローラ）を使用する熱定着装置によって行う。加熱ローラと加圧ローラは、圧接して圧接部（ニップ）を形成した状態で回転させ、トナー像を転写した記録用紙を両ローラの間（ニツプ）に挟み込むようにして通過させることによりトナーを溶融して記録用紙に定着する。
【０００７】
トナー像を定着した記録用紙は、排紙ローラを通して機外に排紙し、または裏面に記録するために記録用紙反転経路に引き込む。記録用紙反転経路では、記録用紙の搬送方向を反転（後端が先端となるようにする）させると共にその先端を再び前記転写器の位置に搬送することにより該記録用紙の裏面を中間転写体の表面に接触させてトナー像の転写を行う。そして、裏面にトナー像を転写した記録用紙は、再び定着装置を通して裏面のトナー像を記録用紙に定着した後に排紙ローラを通して機外に排紙する。
【０００８】
記録用紙としては、一般的には普通紙が使用されるが、時には、透明な合成樹脂製のＯＨＰ用シートが使用される。
【０００９】
【発明が解決しようとする課題】
このような電子写真記録装置において、排紙ローラは、ローラ駆動軸に離散させて配置した複数個の駆動ローラと該駆動ローラにそれぞれ当接した複数個の加圧ローラ（アイドラー）を備える。そして、加圧ローラは、合成樹脂製の円柱状の芯部材の外周にゴム層（ゴム筒）を嵌着して構成し、ばね部材で支持して駆動ローラに押接している。
【００１０】
このゴム筒は、成形品であるために端縁にバリが発生している。そして、このゴム筒の端縁に突出したバリは、ＯＨＰ用シートを記録用紙として使用する電子写真記録においては、定着装置において加熱されて軟化した状態で排紙ローラを通過するＯＨＰ用シートを強く押圧して傷付ける問題がある。
【００１１】
この問題は、ゴム筒を仕上げ加工してバリを除去することによって解消することができるが、加工費が増加して電子写真記録装置の製造コストを高めることになる。
【００１２】
本発明の目的は、製造コストを高めることなく前記ゴム筒のバリによるＯＨＰ用シートの傷付きを防止することができる電子写真記録装置における排紙装置を提供することにある。
【００１３】
【課題を解決するための手段】
本発明は、トナー像を加熱定着した記録用紙を駆動ローラに加圧ローラを押接した排紙ローラを通して排紙トレー上に排出するようにした電子写真記録装置において、前記加圧ローラは、両端部に小径部を形成した芯部材と、この芯部材の外周に嵌着したゴム筒を備え、前記ゴム筒の両端部は前記芯部材の小径部の周りに逃げ空間を介して位置するようにした。
【００１４】
そして、前記芯部材の小径部は該芯部材の両端部に形成したテーパにより形成した。
【００１５】
また、前記芯部材は樹脂成形によって形成し、ゴム筒はクロロプレンゴムにより形成した。
【００１６】
【発明の実施の形態】
図１は、本発明の一実施の形態である両面記録式のカラー電子写真記録装置の基本構成を示す縦断側面図である。このカラー電子写真記録装置は、縦長の軌道を定速度で回動するように感光ベルト１を設置し、この回動軌道の周囲に配置した帯電器２によって一様に帯電し、露光装置３によって露光して各色に対応する静電潜像を形成する。
【００１７】
露光装置３は、レーザビーム方式の露光装置では、記録データに従ってレーザダイオードの発光を点滅制御し、発光したレーザビームを回転ミラーによって偏向することにより感光ベルト１の表面を該感光ベルト１の回動方向に対して直角方向に繰り返し走査するように露光する。
【００１８】
感光ベルト１の表面に形成した静電潜像は、この静電潜像に相応する現像装置４の現像器４Ｃ（シアン），４Ｍ（マゼンタ），４Ｙ（イエロー），４Ｋ（ブラック）を前進させて現像ローラに担持した現像剤を感光ベルト１に作用させて現像することにより、感光ベルト１の表面に各色のトナー像を形成する。
【００１９】
この各色のトナー像は、この感光ベルト１と接触して同期して従動回転する中間転写ドラム５に順次に重ねるように繰り返し転写することにより、この中間転写ドラム５の表面にカラーのトナー像を完成する。
【００２０】
記録用紙６は、用紙カセット７に収容して保持し、その１枚を給紙ローラ８によって抽出してレジストローラ９に送り出す。レジストローラ９は、この記録用紙６の先端を受け止めて待機させ、中間転写ドラム５の表面に形成されたカラートナー像の回転タイミングと同期させて繰り出し、転写器１０によって中間転写ドラム５の表面に押圧する。転写器１０は、中間転写ドラム５にカラートナー像を形成する過程では後退して待機し、転写時に前進して記録用紙６を中間転写ドラム５の表面に押圧すると共にその背面から転写バイアス電界を与えることにより該中間転写ドラム５の表面のカラートナー像を記録用紙６に転写する。
【００２１】
カラートナー像を転写した記録用紙６は、転写器１０を過ぎた部位において中間転写ドラム５から剥離して定着装置１１に送り込む。
【００２２】
定着装置１１は、記録用紙６を所定の部位に向けて受け入れる定着ガイド１２と、圧接してニツプを形成した状態で回転する加熱ローラ１３と加圧ローラ１４を備え、送り込まれた記録用紙６を加熱ローラ１３と加圧ローラ１４の間に挟み込んで回転することによりトナー像を加熱および加圧することにより溶融して記録用紙６に定着し、排紙搬送路１５に送り出す。加熱ローラ１３はヒータを内蔵し、加圧ローラ１４には、必要に応じて、ヒータを内蔵する。
【００２３】
冷却ファン１６は、定着装置１１内およびその周囲の加熱された空気を機外に排出するように換気する。
【００２４】
排紙搬送路１５は、用紙搬送先を機体上面の排紙トレー１７または記録用紙反転機構部１８に切り換える分岐部に切換レバー１９を備える。排紙トレー１７への排紙搬送路１５ａは、その終端部に排紙ローラ２０を備え、記録用紙反転機構部１８への排紙搬送路１５ｂは、その終端部を記録用紙反転機構部１８の反転搬送路２１の入口に向けて開口する。
【００２５】
排紙搬送路１５には、定着装置１１と切換レバー１９の間に該排紙搬送路１５を通過する記録用紙６を検出する第１の紙通過センサ２２を備え、排紙ローラ２０の直後には排紙トレー１７上に蓄積した記録済み記録用紙６の蓄積量上限を検出する排紙トレー満杯センサ２３を備え、反転搬送路２１には該反転搬送路２１を通過する記録用紙６を検出する第２の紙通過センサ２４を備える。第１の紙通過センサ２２は、できる限り定着装置１１に近い位置に設置し、排紙トレー満杯センサ２３は排紙ローラ２０を通過して排紙トレー１７上に落下する記録用紙６にも応動するように設置する。
【００２６】
記録用紙反転機構部１８は、更に、多数の搬送ローラ２５と搬送ガイド２６を備え、反転した記録用紙６をレジストローラ９に向けて送り出す。
【００２７】
図２は、この電子写真記録装置の記録用紙反転機構部１８を除いた本体部分の具体的な構成を示す分解斜視図である。この電子写真記録装置の本体部分は、機枠本体１１０に現像器着脱カバー１１１と排紙カバー１１２を設け、図示するように、排紙カバー１１２を開くことにより前記感光ベルト１を内蔵した感光ベルトユニット１２０と定着装置１１を着脱可能にし、現像器着脱カバー１１１を開くことにより現像器４Ｃ〜４Ｋを着脱可能にしている。
【００２８】
なお、３９は、潤滑オイルタンクである。
【００２９】
図３は、この電子写真記録装置の制御系のブロック図である。マイクロコンピュータを使用して構成した制御装置２０１は、予め設定された制御プログラムに従って、ホスト３００からの記録指示および記録データを受信して電子写真記録制御を実行する。
【００３０】
制御装置２０１は、入出力回路２０２を介して温度センサ２０３，第１の紙通過センサ２２，排紙トレー満杯センサ２３および第２の紙通過センサ２４からの検出信号を入力し、各種駆動機構制御部２０４，帯電器制御部２０５，露光装置制御部２０６，転写器制御部２０７，定着装置制御部２０８，冷却ファン制御部２０９を制御する。
【００３１】
ここで、温度センサ２０３は、定着装置１１における加熱ローラ１３の温度を検出する非接触式のセンサである。
【００３２】
また、各種駆動機構制御部２０４は、感光ベルト１の回転駆動や現像器４Ｃ〜４Ｋの進退および現像ローラの駆動や給紙ローラ８の回転／停止やレジストローラ９の回転／停止や定着装置１１の加熱ローラ１３および加圧ローラ１４の回転駆動や切換レバー１９の切換操作や排紙ローラ２０および搬送ローラ２５の回転駆動を行うモータや電磁クラッチや電磁ソレノイドへの給電を制御する。
【００３３】
また、帯電器制御部２０５は、感光ベルト１を一様に帯電する帯電器２への給電を制御する。
【００３４】
また、露光装置制御部２０６は、露光装置３からの露光ビーム（レーザビーム）の発生と偏向を制御する。
【００３５】
また、転写器制御部２０７は、転写器１０の進退駆動や転写電界の発生を制御する。
【００３６】
また、定着装置制御部２０８は、定着装置１１における加熱ローラ１３を加熱するヒータへの給電を制御する。
【００３７】
そして、冷却ファン制御部２０９は、冷却ファン１６への給電を制御する。
【００３８】
制御装置２０１は、ホスト３００から記録指示を受けると、電子写真記録の準備制御を開始する。この準備制御において、制御装置２０１は、定着装置１１の加熱ローラ１３を加熱するヒータに給電して加熱ローラ１３を所定の温度まで加熱し、感光ベルト１を回転駆動して残留トナーを除去すると共に基準位置を露光位置に移動し、露光装置３を起動してレーザービームの偏向速度を安定化し、現像装置４を起動して現像剤を撹拌すると共に現像ローラの表面に均一に付着させることにより現像可能状態にし、転写器１０を後退させて中間転写ローラ５から引き離して待機させ、冷却ファン１６を起動するように各制御部２０４〜２０９を制御する。
【００３９】
そして、準備が完了すると、制御装置２０１は、感光ベルト１の基準位置が所定の部位を通過すると給紙ローラ８を回転させて記録用紙６をレジストローラ９まで送り出して待機させると共にホスト３００から記録データを受信して露光装置３のレーザダイオードを点滅制御して感光ベルト１の表面を露光することにより静電潜像を形成する。
【００４０】
静電潜像が現像装置４に対向するように感光ベルト１が回動すると、静電潜像に相応する１つの現像器４Ｃ（４Ｍ〜４Ｋ）を進出させて現像剤で感光ベルト１を摺擦することにより静電潜像を現像してトナー像を形成するように駆動機構制御部２０４を制御する。
【００４１】
感光ベルト１上のトナー像は、この感光ベルト１が中間転写ドラム５と接触しなが回動するときに該中間転写ドラム５に転写される。この静電潜像の形成とトナー像の形成を各色について繰り返して各トナー像を中間転写ドラム５上で重ねるように繰り返し転写することにより該中間転写ドラム５の表面にカラーのトナー像を完成する。
【００４２】
中間転写ドラム５の表面に完成したカラーのトナー像が転写器１０の部位に到達する搬送タイミングに同期するようにレジストローラ９で待機させていた記録用紙６を繰り出すように駆動機構制御部２０４を制御する。そして、転写器１０を前進させて記録用紙６を中間転写ドラム５に押接すると共に転写電界を与えることにより該中間転写ドラム５上のカラートナー像を該記録用紙６に転写するように転写器制御部２０７を制御する。
【００４３】
カラートナー像が転写された記録用紙６は、転写位置を過ぎると中間転写ドラム５から剥離して定着ガイド１２に案内されて定着装置１１内に進入し、加熱ローラ１３と加圧ローラ１４の間を通過するときに加圧および加熱されてトナー像が定着される。
【００４４】
定着装置１１で定着した記録用紙６は、排紙搬送路１５に送り出す。排紙搬送路１５に送り出された記録用紙６は、第１の紙通過センサ２２によって直ちに検出され、その後、分岐部において切換レバー１９によって排紙トレー１７への排紙搬送路１５ａまたは記録用紙反転機構部１８への排紙搬送路１５ｂに分岐して進む。
【００４５】
排紙トレー１７への排紙搬送路１５ａに進んだ記録用紙６は、排紙ローラ２０で搬送して排紙トレー１７上に排紙する。このとき、記録用紙６は、排紙ローラ２０を出たところで排紙トレー満杯センサ２３に触れて該排紙トレー満杯センサ２３を作動させ、排紙トレー１７上に落下することにより排紙トレー満杯センサ２３から離れて該排紙トレー満杯センサ２３を復帰させる。しかしながら、排紙トレー１７が排紙されて蓄積した記録用紙６で満杯になると、排紙ローラ２０を出た記録用紙６の落下量が少なくなるので、記録用紙６は排紙トレー満杯センサ２３に触れたままとなって該排紙トレー満杯センサ２３を作動させたまま（復帰しない）となる。
【００４６】
従って、制御装置２０１は、第１の紙通過センサ２２からの検出信号に基づいて記録用紙６が定着装置１１を出たかどうかを早期に認識し、続いて、排紙トレー満杯センサ２３からの検出信号に基づいて排紙トレー１７に排紙されたことを認識することができる。また、作動した排紙トレー満杯センサ２３が復帰しないときには排紙トレー１７が満杯になったと認識することができる。
【００４７】
排紙搬送路１５ｂに進んだ記録用紙６は、記録用紙反転機構部１８の反転搬送路２１に進入し、搬送ローラ２５によって搬送され、第２の紙通過センサ２４によって反転搬送路２１を搬送されていることが検出される。
【００４８】
従って、制御装置２０１は、第１の紙通過センサ２２からの検出信号に基づいて記録用紙６が定着装置１１を出たかどうかを早期に認識し、続いて、第２の紙通過センサ２４からの検出信号に基づいて記録用紙反転機構部１８に排紙されたことを認識することができる。
【００４９】
結局、制御装置２０１は、第１の紙通過センサ２２，排紙トレー満杯センサ２３および第２の紙通過センサ２４の検出信号を総合的に論理判断することにより、記録用紙６が定着装置１１を通過して排紙トレー１７または記録用紙反転機構部１８に排紙されたかどうかを判断し、また、排紙トレー１７上に排紙された記録用紙６の蓄積量の限界を監視することができる。
【００５０】
図４は、この電子写真記録装置における定着装置および排紙搬送路部を拡大して示す縦断側面図である。
【００５１】
定着装置１１における定着ガイド１２は、その表面に記録用紙６の搬送方向に伸びる複数本のビード１２ａを備え、加熱ローラ１３に対向する後端縁１２ｂは平坦に形成する。この定着ガイド１２の後端縁１２ｂは、加熱ローラ１３に向かって近接し、定着装置１１に進入する記録用紙６の先端がビード１２ａを摺動して加熱ローラ１３に突き当たるような向きで進むように案内する。そして、記録用紙６の先端が加熱ローラ１３に突き当たり、この加熱ローラ１３に沿って該加熱ローラ１３と共に進行して該加熱ローラ１３と加圧ローラ１４の圧接部に挟持されて引っ張られると、記録用紙６の後部領域は中間転写ドラム５と転写器１０の間に挟まれて該中間転写ドラム５に付着しているので該記録用紙６は緊張する。記録用紙６が中間転写ドラム５への付着部と加熱ローラ１３と加圧ローラ１４の挟持部の間で緊張すると、定着ガイド１２の後端縁１２ｂが加熱ローラ１３側に近接するように位置しているために、記録用紙６は背面を定着ガイド１２の後端縁１２ｂに強く接触させて該部で表面が山形になるように屈曲する。
【００５２】
このとき、定着ガイド１２の表面のビード１２ａが屈曲した記録用紙６の背面に強く接触すると、高温になっているビード１２ｂの熱が記録用紙６に伝達して定着むらを発生する。
【００５３】
従って、この実施の形態においては、記録用紙６が中間転写ドラム５への付着部と加熱ローラ１３と加圧ローラ１４の挟持部の間で緊張して定着ガイド１２の後端縁１２ｂにおいて屈曲した状態においても、記録用紙６の背面が定着ガイド１２のビード１２ａに強く接触しないように構成した。このような構成は、ビード１２ａの後縁を短く（定着ガイド１２の後端縁１２ｂからの距離を長くする）し、および／または、ビード１２ａの背丈（高さ）を低くすることにより実現することができる。
【００５４】
このような定着ガイドは、感光ドラムを使用して該感光ドラムに形成したトナー像を転写器により記録用紙に転写して定着装置に送り込む電子写真記録装置に適用することもできる。
【００５５】
加熱ローラ１３の表面を清掃するクリーニングローラ２７はクリーニングケース２８に回転自在に取り付けてユニット化し、クリーニングローラ２７が加熱ローラ１３に接触するように並設して上方から着脱可能に装着する。そして、装着した状態では、クリーニングローラ２７は、加熱ローラ１３に対して異なる周速度で僅かに滑りを発生するように回転駆動する。クリーニングケース２８は、着脱操作のための取っ手として、上側に把持リブ２８ａを突設し、この把持リブ２８ａには通風穴２８ｂを設けている。この通風穴２８ｂは、着脱時に把持する上縁部への伝熱を軽減して該部の温度上昇を軽減し、また、温度センサ２０３を通って冷却ファン１６に引かれる温風の流れを円滑にする。
【００５６】
加熱ローラ１３の温度を検出する非接触式の温度センサ２０３は、加熱ローラ１３に対向させて前記クリーニングローラ２７の側に設置する。加熱ローラ１３により加熱された空気は、冷却ファン１６に引かれて温度センサ２０３を通り、クリーニングケース２８を迂回するように流れるが、このクリーニングケース２８の上側に突出した把持リブ２８ａの領域については、この把持リブ２８ａに形成された通風穴２８ｂを通過することができるので比較的に円滑な流れを形成することができる。
【００５７】
加圧ローラ１４の表面を清掃するクリーニングパッド２９は背板３０によって裏打ちし、加圧ローラ１４の表面に圧接するように板ばね３１によって取り付ける。このクリーニングパッド２９は、前述したように、加圧ローラ１４の表面の潤滑が不足すると摺動が断続的になって振動し、騒音発生の原因となる。
【００５８】
発明者等は、この振動騒音が、クリーニングパッド２９の前記振動が周囲の部品、特に背板３０と板ばね３１を共振させて発生していることを究明し、この実施の形態においては、背板３０に錘（図示省略）を溶着して取り付けることにより、クリーニングパッドの振動に対して共振周波数をずらして騒音の発生を防止する構成とした。
【００５９】
また、この加圧ローラ１５の下方には、この定着装置１１の過熱を防止するために、温度ヒューズ３２を設置し、この温度ヒューズ３２を加熱ローラ１４を加熱するヒータへの給電回路に直列に接続している。この温度ヒューズ３２は、前述したように、合成樹脂製の支持体３３に取り付けて設置するようにしているが、インサートねじを使用するとインサートねじの結合が緩んで固定が不安定になる。そこで、この実施の形態においては、図５（ａ），（ｂ）に示すように、支持体３３に、接続端子板３４を横方向から差し込む溝３３ａと、この接続端子板３４に温度ヒューズ３２の端子３２ａを止める止めねじ３５の突出した先端部を収容する逃げ穴３３ｂを形成し、溝３３ａに差し込んだ接続端子板３４のねじ穴３４ａに止めねじ３５を螺着して端子３２ａを固着したときに該ねじ穴３４ａを貫通して下側に突出した止めねじ３５の先端部を逃げ穴３３ｂに嵌入することにより、接続端子板３４を支持体３３に抜け止めして取り付けるようにした。
【００６０】
また、この定着装置１１の加熱ローラ１３と加圧ローラ１４は、前述したように、圧接した状態で長期間停止させておくとその表面に永久変形が発生するので、発送時には加圧ローラ１４の圧接を解除する。また、巻き付いた記録用紙６を除去する保守作業時にも加圧ローラ１４の圧接を解除する。この実施の形態においては、このローラの圧接を解除するために、図６および図７に示すように、前方および後方に傾動する圧力解除レバー３６を設けた。
【００６１】
定着装置１１は、加熱ローラ１３を軸受３７によって定置状態で回転するように支持し、加圧ローラ１４を軸受３８によって可動状態に支持して圧接ばね（図示省略）によって加熱ローラ１３に押接する。圧力解除レバー３６は、軸受３７と同心に傾動可能に取り付け、回動周縁に形成したカム３６ａを加圧ローラ１４を支持する軸受３８に当接する。カム３６ａは、圧力解除レバー３６を前方および後方に傾動させたときに、それぞれの傾動状態で軸受３８を圧接ばねの押圧力に逆らって押し戻して加圧ローラ１４を加熱ローラ１３から引き離して圧接を解除して該状態を維持し、圧力解除レバー３６を中立状態に戻したときに軸受３８を解放することにより加圧ローラ１４がばねによって加熱ローラ１４に圧接されるようにする。
【００６２】
圧力解除レバー３６には、傾動操作するために上方に突出させた傾動操作部３６ｂを設ける。圧力解除レバー３６の前方および後方への傾動は、この傾動操作部３６ｂを手操作することにより行う。
【００６３】
保守作業時には、図７に示すように、排紙カバー１１２を開いて定着装置１１を露出させ、傾動操作部３６ｂを操作して圧力解除レバー３６を後方に傾動させて加圧ローラ１４の圧接を解除し、加熱ローラ１３または加圧ローラ１４に巻き付いた記録用紙６の除去を容易にする。保守作業を終了するときには、傾動操作部３６ｂを操作して圧力解除レバー３６を中立状態に戻してから排紙カバー１１２を閉じる。圧力解除レバー３６を後方に傾動させたままの状態で排紙カバー１１２を閉じたときには、排紙カバー１１２の当接部１１２ａが傾動操作部３６ｂに当接して圧力解除レバー３６を中立状態に押し戻して加圧ローラ１４を加熱ローラ１３に圧接するようにする。
【００６４】
発送時には、図６に示すように、圧力解除レバー３６を前方に傾動させて圧接を解除するようにする。これは、圧力解除レバー３６を後方に傾動させたときには、排紙カバー１１２を閉じたときに押し戻されてしまうのを避けるためである。この電子写真記録装置は、使用状態においては、定着装置１１の加熱ローラ１３の上方にクリーニングローラ２７のユニットが並設状態に装着されているので、圧力解除レバー３６が後方に傾動するのを阻害する。しかしながら、このクリーニングローラ２７のユニットは、交換（消耗）部品であることから、発送時には、非装着状態で梱包している。従って、発送時には、圧力解除レバー３６を前方に傾動させて加圧ローラ１４の圧接を解除した状態にして排紙カバー１１２を閉じることができる。そして、使用時には、破線で示す中立滋養隊に戻してクリーニングローラ２７のユニットを設置する。
【００６５】
このように構成した定着装置１１は、図８および図９に示すように、機枠本体１１０の排紙カバー１１２を開いて定着装置載置部１１３に上方から載置して両側のエンドカバー４０，４１の側面に沿って配置した止めねじ４２，４３を定着装置載置部１１３に螺着して固定するように設置する。止めねじ４２，４３は、エンドカバー４０，４１の背丈を越える長さに構成し、エンドカバー４０，４１の外側面に縦方向に伸びるように形成した凹部４０ａ，４１ａに前記止めねじ４２，４３を配置してその頭部を上側に突出するように収容することにより着脱操作を容易にする。
【００６６】
凹部４０ａは、エンドカバー４０の角部に形成して片側の側壁を省略している。何れにしても、凹部４０ａ，４１ａの側壁部には、止めねじ４２，４３の胴部の直径寸法より僅かに狭い空隙で対向する爪４０ｂ，４１ｂを設けることにより、止めねじ４２，４３をこの爪４０ｂ，４１ｂの内側に押し込んで支持するようにすると、定着装置１１を取り外したときに止めねじ４２，４３が散乱するのを防止することができる。
【００６７】
排紙ローラ２０は、図１０に示すように、ローラ駆動軸４５に嵌着した複数個の駆動ローラ４６とばね部材４７で回転自在に支持して前記駆動ローラ４６にそれぞれ押接した複数個の加圧ローラ４８を備える。加圧ローラ４８は、両端部にテーパを形成して小径部４８ａ，４８ｂを形成した略円柱状の芯部材４８ｃの大径部の外周にゴム筒４８ｄを嵌着し、このゴム筒４８ｄの両端は小径部４８ａ，４８ｂの周りに位置してその内側に逃げ空間を形成するように構成し、ゴム筒４８ｄの両端にバリがあって該バリが押圧されると該ゴム筒４８ｄの端部が前記逃げ空間側に撓むことにより加熱されたＯＨＰ用シートが通過しても該シートを傷付けるような強い押圧力が発生しないようにしている。
【００６８】
因に、この実施の形態では、駆動ローラ４６は、クロロプレンゴムによって外径１６ｍｍ，長さ２０ｍｍで硬度Ｈs＝７０°の円柱状部材とし、加圧ローラ４８は、芯部材４８ｃは、大径部の直径が８ｍｍ，３ｍｍの長さのテーパにより小径部４８ａ，４８ｂの最小直径を７ｍｍに樹脂成形によって形成し、ゴム筒４８ｄは、クロロプレンゴムにより外径が１０ｍｍで硬度Ｈs＝７０°の円筒状部材とした。
【００６９】
【発明の効果】
本発明は、トナー像を加熱定着した記録用紙を駆動ローラに加圧ローラを押接した排紙ローラを通して排紙トレー上に排出するようにした電子写真記録装置において、前記加圧ローラは、両端部に小径部を形成した芯部材と、この芯部材の外周に嵌着したゴム筒を備え、前記ゴム筒の両端部は前記芯部材の小径部の周りに逃げ空間を介して位置するようにしたことにより、製造コストを高めることなく前記ゴム筒のバリによるＯＨＰ用シートの傷付きを防止することができる。
【図面の簡単な説明】
【図１】本発明の一実施の形態である両面記録式のカラー電子写真記録装置の基本構成を示す縦断側面図である。
【図２】本発明の一実施の形態である両面記録式の電子写真記録装置の記録用紙反転機構部を除いた本体部分の具体的な構成を示す分解斜視図である。
【図３】本発明の一実施の形態である両面記録式の電子写真記録装置の制御系のブロック図である。
【図４】本発明の一実施の形態である両面記録式の電子写真記録装置における定着装置および排紙搬送路部を拡大して示す縦断側面図である。
【図５】本発明の一実施の形態である両面記録式の電子写真記録装置の定着装置における温度ヒューズの縦断側面図およびその要部の分解斜視図である。
【図６】本発明の一実施の形態である両面記録式の電子写真記録装置の定着装置における発送時の
【図７】本発明の一実施の形態である両面記録式の電子写真記録装置の定着装置における保守作業時の圧力解除レバーの状態を示す側面図である。
【図８】本発明の一実施の形態である両面記録式の電子写真記録装置の定着装置の設置状態を示す側面図である。
【図９】本発明の一実施の形態である両面記録式の電子写真記録装置の定着装置の設置状態を示す要部平面図である。
【図１０】本発明の一実施の形態である両面記録式の電子写真記録装置の排紙ローラの一部を示す正面図である。
【符号の説明】
１…感光ベルト、３…露光装置、４…現像装置、５…中間転写ドラム、１０…転写器、１１…定着装置、１２…定着ガイド、１２ａ…ビード、１２ｂ…後端縁、１３…加熱ローラ、１４…加圧ローラ、１５，１５ａ，１５ｂ…排紙搬送路、１６…冷却ファン、１７…排紙トレー、１８…記録用紙反転機構部、１９…切換レバー、２０…排紙ローラ、２１…反転搬送路、２２…第１の紙通過センサ、２３…排紙トレー満杯センサ、２４…第２の紙通過センサ、２７…クリーニングローラ、２８…クリーニングケース、２８ａ…把持リブ、２８ｂ…通風穴、２９…クリーニングパッド、３０…背板、３１…板ばね、３２…温度ヒューズ、３３…支持体、３３ａ…溝、３３ｂ…逃げ穴、３４…接続端子板、３５…止めねじ、３６…圧力解除レバー、３６ａ…カム、３６ｂ…傾動操作部、４０，４１…エンドカバー、４０ａ，４１ａ…凹部、４２，４３…止めねじ、４６…駆動ローラ、４７…ばね部材、４８…加圧ローラ、４８ａ，４８ｂ…小径部、４８ｃ…芯部材、４８ｄ…ゴム筒、１１０…機枠本体、１１２…排紙カバー、１１３…定着装置載置部、２０１…制御装置、２０３…温度センサ。
【図１】
0004299412.tif 000002
【図２】
0004299412.tif 000003
【図３】
0004299412.tif 000004
【図４】
0004299412.tif 000005
【図５】
0004299412.tif 000006
【図６】
0004299412.tif 000007
【図７】
0004299412.tif 000008
【図８】
0004299412.tif 000009
【図９】
0004299412.tif 000010
【図１０】
0004299412.tif 000011